(57)【要約】【課題】より高い品質の画像を印画することができる熱転写記録装置及び当該熱転写記録装置を備えた証明写真撮影装置を提供する。【解決手段】記録媒体Ｐの搬送速度に同期して画像データに基づいて選択的に通電された複数の発熱素子を、インクリボンＲ１を介して、記録媒体Ｐ上に押し当てることによって、記録媒体Ｐ上に画像を印画させるサーマルヘッド８１を備え、サーマルヘッド８１により記録媒体Ｐ上に画像が印画される前に、記録媒体Ｐの温度を所定の温度に調整するよう構成した。【選択図】図３
2007331294.tif 000002
【特許請求の範囲】
【請求項１】
記録媒体の搬送速度に同期して画像データに基づいて選択的に通電された複数の発熱素子を、インクリボンを介して、当該記録媒体上に押し当てることによって、当該記録媒体上に画像を印画させるサーマルヘッドを備える熱転写記録装置において、
前記サーマルヘッドにより前記記録媒体上に画像が印画される前に、当該記録媒体の温度を所定の温度に調整する調整手段を備えることを特徴とする熱転写記録装置。
【請求項２】
請求項１に記載の熱転写記録装置において、
前記調整手段は、前記記録媒体の搬送経路上における前記サーマルヘッドの直下よりも上流側に配置された、当該記録媒体を加熱及び／又は冷却可能な加熱冷却手段を備えることを特徴とする熱転写記録装置。
【請求項３】
請求項２に記載の熱転写記録装置において、
前記調整手段は、
所定箇所の温度を検出する温度検出手段と、
前記温度検出手段により検出された温度に基づいて、前記記録媒体が前記所定の温度となるように、前記加熱冷却手段を制御する温度制御手段と、
を備えることを特徴とする熱転写記録装置。
【請求項４】
請求項２に記載の熱転写記録装置において、
前記調整手段は、
前回の印画からの経過時間を検出する経過時間検出手段と、
前記経過時間検出手段により検出された経過時間に基づいて、前記記録媒体が前記所定の温度となるように、前記加熱冷却手段を制御する温度制御手段と、
を備えることを特徴とする熱転写記録装置。
【請求項５】
請求項１に記載の熱転写記録装置において、
前記インクリボンは、一の前記記録媒体上に画像を印画させる際に使用される染料インク及び保護材が塗布された印画用領域を複数有しており、
前記調整手段は、
前記複数の印画用領域のうちの使用済みの印画用領域に含まれる前記保護材が塗布されていた部分が、前記サーマルヘッドの直下に配置されるように、前記インクリボンを巻戻する巻戻手段と、
前記記録媒体を、前記サーマルヘッドの直下に配置させた状態で、当該記録媒体の搬送経路上にて往復移動させる往復手段と、
通電された前記複数の発熱素子が、前記巻戻手段により巻戻されたインクリボンを介して、前記往復手段により往復移動された前記記録媒体上に押し当てられるように、前記サーマルヘッドを制御するサーマルヘッド制御手段と、
を備えることを特徴とする熱転写記録装置。
【請求項６】
請求項１に記載の熱転写記録装置において、
前記インクリボンは、一の前記記録媒体上に画像を印画させる際に使用される染料インク及び保護材が塗布された印画用領域を複数有するとともに、当該印画用領域同士の間毎に染料インク及び保護材が塗布されていない調整用領域を有しており、
前記調整手段は、
前記複数の調整用領域のうちの前回の印画の際に使用された印画用領域と今回の印画の際に使用される印画用領域との間にある調整用領域が、前記サーマルヘッドの直下に配置されるように、前記インクリボンを送出する送出手段と、
前記記録媒体を、前記サーマルヘッドの直下に配置させた状態で、当該記録媒体の搬送経路上にて往復移動させる往復手段と、
通電された前記複数の発熱素子が、前記送出手段により送出されたインクリボンを介して、前記往復手段により往復移動された前記記録媒体上に押し当てられるように、前記サーマルヘッドを制御するサーマルヘッド制御手段と、
を備えることを特徴とする熱転写記録装置。
【請求項７】
請求項５又は６に記載の熱転写記録装置において、
前記調整手段は、所定箇所の温度を検出する温度検出手段を備え、
前記サーマルヘッド制御手段は、前記温度検出手段により検出された温度に基づいて、前記複数の発熱素子に通電する際の電圧を制御することを特徴とする熱転写記録装置。
【請求項８】
請求項５又は６に記載の熱転写記録装置において、
前記調整手段は、所定箇所の温度を検出する温度検出手段を備え、
前記往復手段は、前記温度検出手段により検出された温度に基づいて、前記記録媒体を往復移動させる速度を制御することを特徴とする熱転写記録装置。
【請求項９】
請求項５又は６に記載の熱転写記録装置において、
前記調整手段は、所定箇所の温度を検出する温度検出手段を備え、
前記往復手段は、前記温度検出手段により検出された温度に基づいて、前記記録媒体を往復移動させる回数を制御することを特徴とする熱転写記録装置。
【請求項１０】
請求項５又は６に記載の熱転写記録装置において、
前記調整手段は、前回の印画からの経過時間を検出する経過時間検出手段を備え、
前記サーマルヘッド制御手段は、前記経過時間検出手段により検出された経過時間に基づいて、前記複数の発熱素子に通電する際の電圧を制御することを特徴とする熱転写記録装置。
【請求項１１】
請求項５又は６に記載の熱転写記録装置において、
前記調整手段は、前回の印画からの経過時間を検出する経過時間検出手段を備え、
前記往復手段は、前記経過時間検出手段により検出された経過時間に基づいて、前記記録媒体を往復移動させる速度を制御することを特徴とする熱転写記録装置。
【請求項１２】
請求項５又は６に記載の熱転写記録装置において、
前記調整手段は、前回の印画からの経過時間を検出する経過時間検出手段を備え、
前記往復手段は、前記経過時間検出手段により検出された経過時間に基づいて、前記記録媒体を往復移動させる回数を制御することを特徴とする熱転写記録装置。
【請求項１３】
請求項１〜１２の何れか一項に記載の熱転写記録装置を用いて、証明写真を作成することを特徴とする証明写真撮影装置。
【発明の詳細な説明】
【技術分野】
【０００１】
本発明は、熱転写記録装置及び証明写真撮影装置に関する。
【背景技術】
【０００２】
従来、入力された画像データに応じて発熱素子を選択的に駆動して発熱させ、その熱エネルギーによって記録媒体上に画像を印画するサーマルヘッドを備えた熱転写記録装置が知られている。
【０００３】
上述の通り、熱転写記録装置は熱エネルギーによって画像を印画するため、その印画された画像の品質は温度に大きく依存する。
そこで、例えば、発熱素子の温度を調整できる熱転写記録装置が提案された（例えば、特許文献１及び２参照）。
具体的には、特許文献１では、サーマルヘッドの温度を検出する温度センサを備え、当該温度センサによる検出結果に基づいて、発熱素子への通電エネルギーを補正する熱転写記録装置（熱転写プリンタ）が提案され、特許文献２では、プリンタ周囲の温度を検出する周囲温度検出手段を備え、当該周囲温度検出手段による検出結果に基づいて、発熱素子に通電する際の電圧印加時間を決定する熱転写記録装置（サーマルプリンタ）が提案された。
【特許文献１】特開平５−１０４７６９号公報
【特許文献２】特開２００２−２９２９１９号公報
【発明の開示】
【発明が解決しようとする課題】
【０００４】
しかしながら、熱転写記録装置により印画される画像の品質は、発熱素子の温度だけでなく、記録媒体の温度にも大きく依存する。
例えば、低温環境下に設置されている場合、熱転写記録装置は印画を連続して繰り返すことによって温まっていく。それに伴い、例えば、熱転写記録装置内又は近傍に載置された記録媒体も温まっていく。そのため、前回の印画からの経過時間が短い場合と長い場合とでは、記録媒体の温度が異なってしまい、画像の色濃度や色味に差が出てしまうという問題がある。
また、熱転写記録装置は、記録媒体に、例えば、イエロー（Ｙ）、マゼンタ（Ｍ）、シアン（Ｃ）の順で色を乗せて画像を印画するが、記録媒体が冷えている場合等は、色を乗せていくうちに記録媒体が温まっていくため、各色の色の乗り具合に差が出てしまうという問題もある。
したがって、例えば、特許文献１や２のように、発熱素子の温度を調整するだけでは、より高い品質の画像を印画することはできない。
【０００５】
本発明の課題は、より高い品質の画像を印画することができる熱転写記録装置及び当該熱転写記録装置を備えた証明写真撮影装置を提供することにある。
【課題を解決するための手段】
【０００６】
上記課題を解決するために、請求項１に記載の発明は、
記録媒体の搬送速度に同期して画像データに基づいて選択的に通電された複数の発熱素子を、インクリボンを介して、当該記録媒体上に押し当てることによって、当該記録媒体上に画像を印画させるサーマルヘッドを備える熱転写記録装置において、
前記サーマルヘッドにより前記記録媒体上に画像が印画される前に、当該記録媒体の温度を所定の温度に調整する調整手段を備えることを特徴とする。
【０００７】
請求項２に記載の発明は、
請求項１に記載の熱転写記録装置において、
前記調整手段は、前記記録媒体の搬送経路上における前記サーマルヘッドの直下よりも上流側に配置された、当該記録媒体を加熱及び／又は冷却可能な加熱冷却手段を備えることを特徴とする。
【０００８】
請求項３に記載の発明は、
請求項２に記載の熱転写記録装置において、
前記調整手段は、
所定箇所の温度を検出する温度検出手段と、
前記温度検出手段により検出された温度に基づいて、前記記録媒体が前記所定の温度となるように、前記加熱冷却手段を制御する温度制御手段と、
を備えることを特徴とする。
【０００９】
請求項４に記載の発明は、
請求項２に記載の熱転写記録装置において、
前記調整手段は、
前回の印画からの経過時間を検出する経過時間検出手段と、
前記経過時間検出手段により検出された経過時間に基づいて、前記記録媒体が前記所定の温度となるように、前記加熱冷却手段を制御する温度制御手段と、
を備えることを特徴とする。
【００１０】
請求項５に記載の発明は、
請求項１に記載の熱転写記録装置において、
前記インクリボンは、一の前記記録媒体上に画像を印画させる際に使用される染料インク及び保護材が塗布された印画用領域を複数有しており、
前記調整手段は、
前記複数の印画用領域のうちの使用済みの印画用領域に含まれる前記保護材が塗布されていた部分が前記サーマルヘッドの直下に配置されるように、前記インクリボンを巻戻する巻戻手段と、
前記記録媒体を、前記サーマルヘッドの直下に配置させた状態で、当該記録媒体の搬送経路上にて往復移動させる往復手段と、
通電された前記複数の発熱素子が、前記巻戻手段により巻戻されたインクリボンを介して、前記往復手段により往復移動された前記記録媒体上に押し当てられるように、前記サーマルヘッドを制御するサーマルヘッド制御手段と、
を備えることを特徴とする。
【００１１】
請求項６に記載の発明は、
請求項１に記載の熱転写記録装置において、
前記インクリボンは、一の前記記録媒体上に画像を印画させる際に使用される染料インク及び保護材が塗布された印画用領域を複数有するとともに、当該印画用領域同士の間毎に染料インク及び保護材が塗布されていない調整用領域を有しており、
前記調整手段は、
前記複数の調整用領域のうちの前回の印画の際に使用された印画用領域と今回の印画の際に使用される印画用領域との間にある調整用領域が、前記サーマルヘッドの直下に配置されるように、前記インクリボンを送出する送出手段と、
前記記録媒体を、前記サーマルヘッドの直下に配置させた状態で、当該記録媒体の搬送経路上にて往復移動させる往復手段と、
通電された前記複数の発熱素子が、前記送出手段により送出されたインクリボンを介して、前記往復手段により往復移動された前記記録媒体上に押し当てられるように、前記サーマルヘッドを制御するサーマルヘッド制御手段と、
を備えることを特徴とする。
【００１２】
請求項７に記載の発明は、
請求項５又は６に記載の熱転写記録装置において、
前記調整手段は、所定箇所の温度を検出する温度検出手段を備え、
前記サーマルヘッド制御手段は、前記温度検出手段により検出された温度に基づいて、前記複数の発熱素子に通電する際の電圧を制御することを特徴とする。
【００１３】
請求項８に記載の発明は、
請求項５又は６に記載の熱転写記録装置において、
前記調整手段は、所定箇所の温度を検出する温度検出手段を備え、
前記往復手段は、前記温度検出手段により検出された温度に基づいて、前記記録媒体を往復移動させる速度を制御することを特徴とする。
【００１４】
請求項９に記載の発明は、
請求項５又は６に記載の熱転写記録装置において、
前記調整手段は、所定箇所の温度を検出する温度検出手段を備え、
前記往復手段は、前記温度検出手段により検出された温度に基づいて、前記記録媒体を往復移動させる回数を制御することを特徴とする。
【００１５】
請求項１０に記載の発明は、
請求項５又は６に記載の熱転写記録装置において、
前記調整手段は、前回の印画からの経過時間を検出する経過時間検出手段を備え、
前記サーマルヘッド制御手段は、前記経過時間検出手段により検出された経過時間に基づいて、前記複数の発熱素子に通電する際の電圧を制御することを特徴とする。
【００１６】
請求項１１に記載の発明は、
請求項５又は６に記載の熱転写記録装置において、
前記調整手段は、前回の印画からの経過時間を検出する経過時間検出手段を備え、
前記往復手段は、前記経過時間検出手段により検出された経過時間に基づいて、前記記録媒体を往復移動させる速度を制御することを特徴とする。
【００１７】
請求項１２に記載の発明は、
請求項５又は６に記載の熱転写記録装置において、
前記調整手段は、前回の印画からの経過時間を検出する経過時間検出手段を備え、
前記往復手段は、前記経過時間検出手段により検出された経過時間に基づいて、前記記録媒体を往復移動させる回数を制御することを特徴とする。
【００１８】
請求項１３に記載の発明は、
証明写真撮影装置において、
請求項１〜１２の何れか一項に記載の熱転写記録装置を用いて、証明写真を作成することを特徴とする。
【発明の効果】
【００１９】
請求項１に記載の発明によれば、記録媒体上に画像が印画される前に、当該記録媒体の温度を所定の温度に調整することができる。したがって、従来、印画された画像毎に生じていた色濃度や色味の差、印画された一の画像において生じていた各色の色の乗り具合の差などを小さくすることができることとなって、より高い品質の画像を印画することができる。
【００２０】
請求項２に記載の発明によれば、請求項１に記載の発明と同様の効果が得られることは無論のこと、記録媒体上に画像が印画される前に、加熱冷却手段により当該記録媒体を加熱及び／又は冷却することによって、当該記録媒体の温度を所定の温度に調整することができる。すなわち、熱転写記録装置が、例えば、低温環境下に設置されている場合には記録媒体を加熱することができ、例えば、高温環境下に設置されている場合には記録媒体を冷却することができるため、熱転写記録装置の設置環境に関わらず、記録媒体の温度を適温に調整することができる。
【００２１】
請求項３に記載の発明によれば、請求項２に記載の発明と同様の効果が得られることは無論のこと、所定箇所の温度に基づいて記録媒体の温度を調整するため、確実に、記録媒体の温度を適温に調整することができる。
【００２２】
請求項４に記載の発明によれば、請求項２に記載の発明と同様の効果が得られることは無論のこと、前回の印画からの経過時間に基づいて記録媒体の温度を調整するため、確実に、記録媒体の温度を適温に調整することができる。
【００２３】
請求項５に記載の発明によれば、請求項１に記載の発明と同様の効果が得られることは無論のこと、記録媒体上に画像が印画される前に、サーマルヘッドにより当該記録媒体を加熱することによって、当該記録媒体の温度を所定の温度に調整することができる。すなわち、既存の構成要素（サーマルヘッド）を応用することができるため、簡易且つ低コストに、記録媒体の温度を適温に調整することができる。
また、記録媒体の温度を調整する際に、巻戻手段によってインクリボンを巻き戻すことができる。したがって、既存のインクリボンを用いることができるため、より一層簡易且つ低コストに、記録媒体の温度を適温に調整することができる。
【００２４】
請求項６に記載の発明によれば、請求項１に記載の発明と同様の効果が得られることは無論のこと、記録媒体上に画像が印画される前に、サーマルヘッドにより当該記録媒体を加熱することによって、当該記録媒体の温度を所定の温度に調整することができる。すなわち、既存の構成要素（サーマルヘッド）を応用することができるため、簡易且つ低コストに、記録媒体の温度を適温に調整することができる。
また、インクリボンは、染料インク及び保護材が塗布されていない調整用領域を有している。したがって、記録媒体の温度を調整する際にインクリボンを巻戻する手段等を新たに備える必要がないため、より一層簡易且つ低コストに、記録媒体の温度を適温に調整することができる。
【００２５】
請求項７〜９に記載の発明によれば、請求項５又は６に記載の発明と同様の効果が得られることは無論のこと、所定箇所の温度に基づいて記録媒体の温度を調整するため、確実に、記録媒体の温度を適温に調整することができる。
【００２６】
請求項１０〜１２に記載の発明によれば、請求項５又は６に記載の発明と同様の効果が得られることは無論のこと、前回の印画からの経過時間に基づいて記録媒体の温度を調整するため、確実に、記録媒体の温度を適温に調整することができる。
【００２７】
請求項１３に記載の発明によれば、請求項１〜１２の何れか一項に記載の熱転写記録装置を用いて、証明写真を作成することができる。したがって、証明写真撮影装置の場合は、特に前回の印画からの経過時間が長くなり易いため、画像毎の色濃度や色味の差、各色の色の乗り具合の差などが生じ易いが、請求項１〜１２の何れか一項に記載の熱転写記録装置によって、これらの差を小さくすることができるため、より高い品質の画像が印画された証明写真を作成することができる。
【発明を実施するための最良の形態】
【００２８】
以下、図を参照して、本発明にかかる証明写真撮影装置の最良の形態を詳細に説明する。なお、発明の範囲は、図示例に限定されない。
【００２９】
[第１の実施の形態]
まず、第１の実施の形態における証明写真撮影装置１について説明する。
【００３０】
＜証明写真撮影装置の構成＞
まず、証明写真撮影装置１の構成について、図１〜５を参照して説明する。
証明写真撮影装置１は、昇華型プリンタ８０等から構成される熱転写記録装置を用いて、証明写真を作成する装置である。
具体的には、証明写真撮影装置１は、例えば、図１に示すように、ボックス型に形成されており、例えば、証明写真撮影装置１の外壁には、プリントされた証明写真を取り出すための取出口８１が設置されている。
また、例えば、証明写真撮影装置１の内部には、撮影室１ａが設置されている。
【００３１】
撮影室１ａには、例えば、被撮影者Ｍが座る椅子１ｂが回転可能に備えられており、椅子１ｂは回転によって昇降するように構成されている。
また、例えば、撮影室１ａにおける被撮影者Ｍの上方、正面及び背面に相当する位置には、照明用のストロボ２０ａが設置されている。
また、例えば、撮影室１ａにおける被撮影者Ｍの正面に相当する位置には、操作手順等の撮影に関する各種画面や撮影された証明写真画像などを表示するための表示部４０と、被撮影者Ｍが撮影室１ａ内に入室したことを検出するための入室センサ５０と、撮影料金を精算するためのコインメック６０と、被撮影者Ｍが操作指示を入力するための操作ボタン７０ａやタッチパネル７０ｂと、などが設置されている。
【００３２】
証明写真撮影装置１は、例えば、図２に示すように、本体部１０と、ストロボユニット２０と、デジタルカメラ３０と、表示部４０と、入室センサ５０と、コインメック６０と、操作部７０と、昇華型プリンタ８０と、などを備えて構成される。
【００３３】
ストロボユニット２０は、例えば、本体部１０から入力される制御信号に従って、撮影室１ａ内の各位置に設置されたストロボ２０ａの発光タイミングや発光量を制御する。
【００３４】
デジタルカメラ３０は、例えば、光学レンズと、ＣＣＤ（Charge Coupled Device）やＣＭＯＳ（Complementary Metal-Oxide Semiconductor）などの撮像素子と、Ａ／Ｄ変換部と、などから構成されている。
デジタルカメラ３０は、例えば、本体部１０から入力される制御信号に従って、光学レンズを介して入力された被写体像を撮像素子により光電変換してアナログ画像信号を生成し、そして、Ａ／Ｄ変換部により当該アナログ画像信号からデジタルの画像データを生成して、当該画像データを本体部１０に出力する。
なお、デジタルカメラ３０に代えて、動画を記録可能なデジタルビデオカメラ等を適用するようにしてもよい。
【００３５】
表示部４０は、例えば、ＬＣＤ（Liquid Crystal Display）パネル等から構成されており、例えば、本体部１０から入力される表示信号に従って、所与の表示処理を行う。
【００３６】
入室センサ５０は、例えば、被撮影者Ｍが撮影室１ａ内に入室したことを検出するためのものであり、被撮影者Ｍの入室を検出すると、その検出信号を本体部１０に出力する。
なお、入室センサ５０としては、例えば、発光器と受光器とからなる光学式センサ等が適用可能である。
【００３７】
コインメック６０は、例えば、硬貨や紙幣の入金口や釣銭の返金口などを備えた金銭登録機である。コインメック６０は、例えば、入金口から入金された金額に関する情報を本体部１０に出力するとともに、本体部１０から入力された制御信号に従って釣銭額に応じた硬貨や紙幣を返金口に排出する。
【００３８】
操作部７０は、例えば、撮影室１ａの内壁に備えられた操作ボタン７０ａや、表示部４０と一体的に構成されたタッチパネル７０ｂなどから構成されており、例えば、被撮影者Ｍによる操作に伴う押下信号を本体部１０に出力する。
【００３９】
（昇華型プリンタの構成）
昇華型プリンタ８０は、例えば、本体部１０から入力される制御信号に従って、デジタルカメラ３０により撮影されて生成された画像データに基づく画像を記録媒体Ｐに印画して、証明写真を作成する。
具体的には、昇華型プリンタ８０は、例えば、図３及び４に示すように、所定の搬送経路Ｑに沿って搬送される記録媒体Ｐの搬送方向（副走査方向）と略直交する方向（主走査方向）に記録媒体Ｐの全幅にわたって配列された複数の発熱素子８１１列を有するサーマルヘッド８１と、サーマルヘッド８１に対向する位置に配置されたプラテンローラ８２と、プラテンローラ８２よりも上流側に配置された２つの搬送ローラ８３，８３及び下流側に配置された２つの搬送ローラ８３，８３と、プラテンローラ８２や搬送ローラ８３を回転駆動させる第１駆動モータ８４と、サーマルヘッド８１とプラテンローラ８２（記録媒体Ｐ）との間にインクリボンＲ１を張設してインクリボンＲ１を上流から下流へ送出する第１インクリボンローラ８５及び第２インクリボンローラ８６と、第１インクリボンローラ８５や第２インクリボンローラ８６を回転駆動させる第２駆動モータ８７と、記録媒体Ｐの搬送経路Ｑ上におけるサーマルヘッド８１の直下よりも上流側に配置された温調器８８と、記録媒体Ｐの搬送経路Ｑ上に、温調器８８よりも更に上流側に配置された温度検出部８９と、など備えて構成される。
【００４０】
サーマルヘッド８１は、例えば、本体部１０から入力される制御信号に従って、記録媒体Ｐの搬送速度に同期して画像データに基づいて選択的に通電された複数の発熱素子８１１を、インクリボンＲ１を介して、記録媒体Ｐ上に押し当てることによって、記録媒体Ｐ上に画像を印画させる。
【００４１】
プラテンローラ８２は、例えば、サーマルヘッド８１の直下で記録媒体Ｐを支持するとともに、第１駆動モータ８４により回転駆動されることによって、搬送経路Ｑに沿って記録媒体Ｐを搬送する。
【００４２】
搬送ローラ８３は、例えば、第１駆動モータ８４により回転駆動されることによって、搬送経路Ｑに沿って記録媒体Ｐを搬送する。
【００４３】
第１駆動モータ８４は、例えば、本体部１０から入力される制御信号に従って、プラテンローラ８２や搬送ローラ８３を回転駆動させる。
具体的には、第１駆動モータ８４により回転駆動されたプラテンローラ８２や搬送ローラ８３は、サーマルヘッド８１により画像が印画される記録媒体Ｐを、上流側からサーマルヘッド８１の下方へ給紙し、その後、サーマルヘッド８１により画像が印画された記録媒体Ｐを、サーマルヘッド８１の下方から下流側へ排出する。
【００４４】
第１インクリボンローラ８５は、例えば、サーマルヘッド８１よりも上流側に設けられており、第２駆動モータ８７により回転駆動されることによって、上流から下流へインクリボンＲ１を送出する。
【００４５】
第２インクリボンローラ８６は、例えば、サーマルヘッド８１よりも下流側に設けられており、第２駆動モータ８７により回転駆動されることによって、第１インクリボン８５により送出されたインクリボンＲ１を巻取する。
【００４６】
第２駆動モータ８７は、本体部１０から入力される制御信号に従って、第１インクリボンローラ８５や第２インクリボンローラ８６を回転駆動させる。
具体的には、第２駆動モータ８７により回転駆動された第１インクリボンローラ８５や第２インクリボンローラ８６は、インクリボンＲ１を、上流から下流へ送出する。
【００４７】
インクリボンＲ１は、例えば、図５に示すように、イエロー（Ｙ）、マゼンタ（Ｍ）、シアン（Ｃ）の三原色の昇華性染料インクがそれぞれ面状に塗布された部分と、透明保護材（ＯＰ）が面状に塗布された部分と、からなる印画用領域Ｔ１を複数有している。
ここで、一の印画用領域Ｔ１は、一の記録媒体Ｐ上に画像を印画させる際に使用される昇華性染料インク及び透明保護材が塗布された領域である。
【００４８】
温調器８８は、例えば、ヒータや送風機などを備え、記録媒体Ｐを加熱及び／又は冷却可能に構成され、加熱冷却手段として機能する。そして、温調器８８は、本体部１０から入力される制御信号に従って、記録媒体Ｐを加熱及び／又は冷却することによって、記録媒体Ｐの温度を所定の温度に調整する。
【００４９】
温度検出部８９は、例えば、温度検出手段として、所定箇所の温度を検出して、その検出信号を本体部１０に出力する。
ここで、所定箇所は、例えば、温度検出部８９が配置された箇所（温調器８８よりも更に上流側）、すなわち、例えば、印画されるために記録媒体Ｐが待機している場所である。
【００５０】
（本体部の構成）
本体部１０は、図２に示すように、例えば、制御部１１と、Ｉ／Ｏ（Input/Output）コントロール１２と、Ｉ／Ｆ（InterFace）１３と、ＤＶＤ（Digital Versatile Disk）記憶部１４と、ＲＡＭ（Random Access Memory）１５と、ＲＯＭ（Read Only Memory）１６と、などを備えて構成される。そして、本体部１０は、例えば、Ｉ／Ｏコントロール１２を介して、ストロボユニット２０、コインメック６０、操作部７０等と接続しており、Ｉ／Ｆ１３を介して、昇華型プリンタ８０等と接続している。
【００５１】
制御部１１は、例えば、証明写真撮影装置１の各部を集中制御する。
具体的には、制御部１１は、例えば、ＲＯＭ１６に記憶された証明写真撮影装置１用の各種処理プログラムに従って各種の制御動作を行う。
【００５２】
Ｉ／Ｏコントロール１２は、例えば、ストロボユニット２０、コインメック６０、操作部８０等との間で各種情報を入出力するためのインターフェイスである。
【００５３】
Ｉ／Ｆ１３は、例えば、昇華型プリンタ８０との間で各種情報を入出力するためのインターフェイスである。
【００５４】
ＤＶＤ記憶部１４は、例えば、デジタルカメラ３０により撮影されて生成された画像データと、表示部４０に表示される各種画面の画像データと、などを記憶している。
【００５５】
ＲＡＭ１５は、制御部１１によって実行される処理プログラムなどを展開するためのプログラム格納領域や、入力データや上記処理プログラムが実行される際に生じる処理結果などを格納するデータ格納領域などを備える。
【００５６】
ＲＯＭ１６は、証明写真撮影装置１で実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６に記憶されている。
具体的には、ＲＯＭ１６は、例えば、図２に示すように、調整制御プログラム１６１と、作成制御プログラム１６２と、などを記憶している。
【００５７】
調整制御プログラム１６１は、例えば、サーマルヘッド８１により記録媒体Ｐ上に画像が印画される前に、温度検出部８９により検出された温度に基づいて、記録媒体Ｐが所定の温度となるように、温調器８８を制御する機能を、制御部１１に実現させる。
なお、制御部１１は、例えば、調整制御プログラム１６１とともに、作成制御プログラム１６２も実行する。これによって、作成制御プログラム１６２を実行した制御部１１により制御された第１駆動モータ８４により回転駆動された搬送ローラ８３等によりサーマルヘッド８１の下方へ搬送される記録媒体Ｐが、当該搬送の途中で、温調器８８により加熱又は冷却される。
ここで、所定の温度は、例えば、画像が印画されるのに最適な記録媒体Ｐの温度である。
制御部１１は、かかる調整制御プログラム１６１を実行することによって、温度制御手段として機能する。
【００５８】
ここで、サーマルヘッド８１により記録媒体Ｐ上に画像が印画される前に、記録媒体Ｐの温度を所定の温度に調整する調整手段は、例えば、温調器８８と、温度検出部８９と、調整制御プログラム１６１を実行した制御部１１と、などから構成される。
【００５９】
作成制御プログラム１６２は、例えば、デジタルカメラ３０により撮影されて生成された画像データに所定の証明写真用の処理を施し、そして、昇華型プリンタ８０を制御して、当該画像データに基づく画像を、調整制御プログラム１６１を実行した制御部１１等から構成される調整手段により温度が調整された記録媒体Ｐに印画させる機能を、制御部１１に実現させる。
具体的には、制御部１１は、例えば、記録媒体Ｐの搬送速度とインクリボンＲ１の送出速度とが同一タイミングとなるように、第１駆動モータ８４と第２駆動モータ８７とを制御するとともに、当該タイミングに同期して画像データに基づいて複数の発熱素子８１１が選択的に通電されるように当該通電する際の電圧を制御する等して、サーマルヘッド８１を制御する。
【００６０】
ここで、熱転写記録装置は、例えば、昇華型プリンタ８０と、調整制御プログラム１６１を実行した制御部１１と、などから構成される。
【００６１】
以上説明した第１の実施の形態における証明写真撮影装置１によれば、昇華型プリンタ８０と、調整制御プログラム１６１を実行した制御部１１と、などから構成される熱転写記録装置を備えており、この熱転写記録装置は、記録媒体Ｐの搬送速度に同期して画像データに基づいて選択的に通電された複数の発熱素子８１１を、インクリボンＲ１を介して、記録媒体Ｐ上に押し当てることによって、記録媒体Ｐ上に画像を印画させるサーマルヘッド８１を備え、温調器８８と、温度検出部８９と、調整制御プログラム１６１を実行した制御部１１とによって、サーマルヘッド８１により記録媒体Ｐ上に画像が印画される前に、記録媒体Ｐの温度を所定の温度に調整することができる。したがって、従来、印画された画像毎に生じていた色濃度や色味の差、印画された一の画像において生じていた各色の色の乗り具合の差などを小さくすることができることとなって、より高い品質の画像を印画することができる。
【００６２】
具体的には、記録媒体Ｐの搬送経路Ｑ上におけるサーマルヘッド８１の直下よりも上流側に配置された温調器８８によって、記録媒体Ｐを加熱及び／又は冷却することができる。すなわち、証明写真撮影装置１が、例えば、低温環境下に設置されている場合には記録媒体Ｐを加熱することができ、例えば、高温環境下に設置されている場合には記録媒体Ｐを冷却することができるため、証明写真撮影装置１の設置環境に関わらず、記録媒体Ｐの温度を適温に調整することができる。
【００６３】
また、温度検出部８９によって、所定箇所の温度を検出することができ、調整制御プログラム１６１を実行した制御部１１によって、温度検出部８９により検出された温度に基づいて、記録媒体Ｐが所定の温度となるように、温調器８８を制御することができる。したがって、確実に、記録媒体Ｐの温度を適温に調整することができる。
【００６４】
そして、証明写真撮影装置１は、上記熱転写記録装置を用いて、証明写真を作成することができる。したがって、証明写真撮影装置１の場合は、特に前回の印画からの経過時間が長くなり易いため、画像毎の色濃度や色味の差、各色の色の乗り具合の差などが生じ易いが、上記熱転写記録装置によって、これらの差を小さくすることができるため、より高い品質の画像が印画された証明写真を作成することができる。
【００６５】
[第２の実施の形態]
次に、第２の実施の形態における証明写真撮影装置１Ａについて説明する。
【００６６】
＜証明写真撮影装置の構成＞
まず、証明写真撮影装置１Ａの構成について、図６〜８を参照して説明する。
なお、第２の実施の形態の証明写真撮影装置１Ａは、記録媒体Ｐの温度を調整する際に基づく情報のみが第１の実施の形態の証明写真撮影装置１と異なる。具体的には、証明写真撮影装置１のおける本体部１０及び昇華型プリンタ８０の構成の一部が異なる。したがって、異なる箇所のみについて説明し、その他の共通する部分は同一符号を付して説明する。
【００６７】
証明写真撮影装置１Ａは、例えば、図６に示すように、本体部１０Ａと、ストロボユニット２０と、デジタルカメラ３０と、表示部４０と、入室センサ５０と、コインメック６０と、操作部７０と、昇華型プリンタ８０Ａと、などを備えて構成される。
【００６８】
（昇華型プリンタの構成）
昇華型プリンタ８０Ａは、例えば、本体部１０Ａから入力される制御信号に従って、デジタルカメラ３０により撮影されて生成された画像データに基づく画像を記録媒体Ｐに印画して、証明写真を作成する。
具体的には、昇華型プリンタ８０Ａは、例えば、図７及び８に示すように、複数の発熱素子８１１列を有するサーマルヘッド８１と、プラテンローラ８２と、搬送ローラ８３と、第１駆動モータ８４と、第１インクリボンローラ８５及び第２インクリボンローラ８６と、第２駆動モータ８７と、温調器８８と、経過時間検出部８９Ａと、など備えて構成される。
【００６９】
経過時間検出部８９Ａは、例えば、経過時間検出手段として、前回の印画からの経過時間を検出して、その検出信号を本体部１０Ａに出力する。
【００７０】
（本体部の構成）
本体部１０Ａは、例えば、制御部１１と、Ｉ／Ｏコントロール１２と、Ｉ／Ｆ１３と、ＤＶＤ記憶部１４と、ＲＡＭ１５と、ＲＯＭ１６Ａと、などを備えて構成される。そして、本体部１０Ａは、例えば、Ｉ／Ｏコントロール１２を介して、ストロボユニット２０、コインメック６０、操作部７０等と接続しており、Ｉ／Ｆ１３を介して、昇華型プリンタ８０Ａ等と接続している。
【００７１】
ＲＯＭ１６Ａは、証明写真撮影装置１Ａで実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６Ａに記憶されている。
具体的には、ＲＯＭ１６Ａは、例えば、図６に示すように、調整制御プログラム１６１Ａと、作成制御プログラム１６２と、などを記憶している。
【００７２】
調整制御プログラム１６１Ａは、例えば、サーマルヘッド８１により記録媒体Ｐ上に画像が印画される前に、経過時間検出部８９Ａにより検出された経過時間に基づいて、記録媒体Ｐが所定の温度となるように、温調器８８を制御する機能を、制御部１１に実現させる。
具体的には、制御部１１は、例えば、予めＲＯＭ１６Ａに記憶された、前回の印画からの経過時間と記録媒体Ｐの温度との相関関係等を示すデータ（図示省略）から、経過時間検出部８９Ａにより検出された経過時間に対応する記録媒体Ｐの温度を抽出して、当該抽出した温度に基づいて、記録媒体Ｐが所定の温度となるように、温調器８８を制御する。ここで、当該データは、例えば、証明写真撮影装置１Ａが設置されている環境等に応じたものである。
なお、制御部１１は、例えば、調整制御プログラム１６１Ａとともに、作成制御プログラム１６２も実行する。
制御部１１は、かかる調整制御プログラム１６１Ａを実行することによって、温度制御手段として機能する。
【００７３】
ここで、サーマルヘッド８１により記録媒体Ｐ上に画像が印画される前に、記録媒体Ｐの温度を所定の温度に調整する調整手段は、例えば、温調器８８と、経過時間検出部８９Ａと、調整制御プログラム１６１Ａを実行した制御部１１と、などから構成される。
また、熱転写記録装置は、例えば、昇華型プリンタ８０Ａと、調整制御プログラム１６１Ａを実行した制御部１１と、などから構成される。
【００７４】
以上説明した第２の実施の形態における証明写真撮影装置１Ａによれば、経過時間検出部８９Ａによって、前回の印画からの経過時間を検出することができ、調整制御プログラム１６１Ａを実行した制御部１１によって、経過時間検出部８９Ａにより検出された経過時間に基づいて、記録媒体Ｐが所定の温度となるように、温調器８８を制御することができる。したがって、確実に、記録媒体Ｐの温度を適温に調整することができる。
【００７５】
[第３の実施の形態]
次に、第３の実施の形態における証明写真撮影装置１Ｂについて説明する。
【００７６】
＜証明写真撮影装置の構成＞
まず、証明写真撮影装置１Ｂの構成について、図９〜１１を参照して説明する。
なお、第３の実施の形態の証明写真撮影装置１Ｂは、記録媒体Ｐの温度を調整する際にサーマルヘッドを使用する点のみが第１の実施の形態の証明写真撮影装置１と異なる。具体的には、証明写真撮影装置１のおける本体部１０及び昇華型プリンタ８０の構成の一部が異なる。したがって、異なる箇所のみについて説明し、その他の共通する部分は同一符号を付して説明する。
【００７７】
証明写真撮影装置１Ｂは、例えば、図９に示すように、本体部１０Ｂと、ストロボユニット２０と、デジタルカメラ３０と、表示部４０と、入室センサ５０と、コインメック６０と、操作部７０と、昇華型プリンタ８０Ｂと、などを備えて構成される。
【００７８】
（昇華型プリンタの構成）
昇華型プリンタ８０Ｂは、例えば、本体部１０Ｂから入力される制御信号に従って、デジタルカメラ３０により撮影されて生成された画像データに基づく画像を記録媒体Ｐに印画して、証明写真を作成する。
具体的には、昇華型プリンタ８０Ｂは、例えば、図１０及び１１に示すように、所定の搬送経路Ｑに沿って搬送される記録媒体Ｐの搬送方向（副走査方向）と略直交する方向（主走査方向）に記録媒体Ｐの全幅にわたって配列された複数の発熱素子８１１列を有するサーマルヘッド８１Ｂと、サーマルヘッド８１Ｂに対向する位置に配置されたプラテンローラ８２Ｂと、プラテンローラ８２Ｂよりも上流側に配置された２つの搬送ローラ８３Ｂ，８３Ｂ及び下流側に配置された２つの搬送ローラ８３Ｂ，８３Ｂと、プラテンローラ８２Ｂや搬送ローラ８３Ｂを回転駆動させる第１駆動モータ８４Ｂと、サーマルヘッド８１Ｂとプラテンローラ８２Ｂ（記録媒体Ｐ）との間にインクリボンＲ１を張設してインクリボンＲ１を上流から下流へ送出したり或いは下流から上流へ送出して巻戻する第１インクリボンローラ８５Ｂ及び第２インクリボンローラ８６Ｂと、第１インクリボンローラ８５Ｂや第２インクリボンローラ８６Ｂを回転駆動させる第２駆動モータ８７Ｂと、温度検出部８９と、など備えて構成される。
【００７９】
サーマルヘッド８１Ｂは、例えば、本体部１０Ｂから入力される制御信号に従って、記録媒体Ｐの搬送速度に同期して画像データに基づいて選択的に通電された複数の発熱素子８１１を、インクリボンＲ１を介して、記録媒体Ｐ上に押し当てることによって、記録媒体Ｐ上に画像を印画させる。
さらに、サーマルヘッド８１Ｂは、例えば、本体部１０Ｂから入力される制御信号に従って、記録媒体Ｐ上に画像を印画する前に、通電された複数の発熱素子８１１を、第１インクリボンローラ８５Ｂや第２インクリボンローラ８６Ｂにより巻戻されたインクリボンＲ１を介して、プラテンローラ８２Ｂや搬送ローラ８３Ｂにより往復移動された記録媒体Ｐ上に押し当てることによって、記録媒体Ｐの温度を所定の温度に調整する。
【００８０】
プラテンローラ８２Ｂは、例えば、サーマルヘッド８１Ｂの直下で記録媒体Ｐを支持するとともに、第１駆動モータ８４Ｂにより回転駆動されることによって、搬送経路Ｑに沿って記録媒体Ｐを搬送する。
さらに、プラテンローラ８２Ｂは、例えば、第１駆動モータ８４Ｂにより回転駆動されることによって、往復手段を構成し、サーマルヘッド８１Ｂにより記録媒体Ｐ上に画像が印画される前に、記録媒体Ｐを、サーマルヘッド８１Ｂの直下に配置させた状態で、記録媒体Ｐの搬送経路Ｑ上にて往復移動させる。
【００８１】
搬送ローラ８３Ｂは、例えば、第１駆動モータ８４Ｂにより回転駆動されることによって、搬送経路Ｑに沿って記録媒体Ｐを搬送する。
さらに、搬送ローラ８３Ｂは、例えば、第１駆動モータ８４Ｂにより回転駆動されることによって、往復手段を構成し、サーマルヘッド８１Ｂにより記録媒体Ｐ上に画像が印画される前に、記録媒体Ｐを、サーマルヘッド８１Ｂの直下に配置させた状態で、記録媒体Ｐの搬送経路Ｑ上にて往復移動させる。
【００８２】
第１駆動モータ８４Ｂは、例えば、本体部１０Ｂから入力される制御信号に従って、プラテンローラ８２Ｂや搬送ローラ８３Ｂを回転駆動させる。
具体的には、第１駆動モータ８４Ｂにより回転駆動されたプラテンローラ８２Ｂや搬送ローラ８３Ｂは、サーマルヘッド８１Ｂにより画像が印画される記録媒体Ｐを、上流側からサーマルヘッド８１Ｂの下方へ給紙し、その後、サーマルヘッド８１Ｂにより画像が印画された記録媒体Ｐを、サーマルヘッド８１Ｂの下方から下流側へ排出する。
さらに、第１駆動モータ８４Ｂは、例えば、往復手段を構成する。すなわち、第１駆動モータ８４Ｂにより回転駆動されたプラテンローラ８２Ｂや搬送ローラ８３Ｂは、サーマルヘッド８１Ｂにより画像を印画させるためにサーマルヘッド８１Ｂの下方へ給紙された記録媒体Ｐを、サーマルヘッド８１Ｂにより記録媒体Ｐ上に画像が印画される前に、サーマルヘッド８１Ｂの直下に配置させた状態で、記録媒体Ｐの搬送経路Ｑ上にて往復移動させる。
【００８３】
第１インクリボンローラ８５Ｂは、例えば、サーマルヘッド８１Ｂよりも上流側に設けられており、第２駆動モータ８７Ｂにより回転駆動されることによって、上流から下流へインクリボンＲ１を送出する。
さらに、第１インクリボンローラ８５Ｂは、例えば、第２駆動モータ８７Ｂにより回転駆動されることによって、巻戻手段を構成し、サーマルヘッド８１Ｂにより記録媒体Ｐ上に画像が印画される前に、複数の印画用領域Ｔ１，…のうちの使用済みの印画用領域Ｔ１に含まれる透明保護材（ＯＰ）が塗布されていた部分が、サーマルヘッド８１Ｂの直下に配置されるように、第２インクリボンローラ８６Ｂにより送出されて巻戻されたインクリボンＲ１を巻取する。
【００８４】
第２インクリボンローラ８６Ｂは、例えば、サーマルヘッド８１Ｂよりも下流側に設けられており、第２駆動モータ８７Ｂにより回転駆動されることによって、第１インクリボン８５Ｂにより送出されたインクリボンＲ１を巻取する。
さらに、第２インクリボンローラ８６Ｂは、例えば、第２駆動モータ８７Ｂにより回転駆動されることによって、巻戻手段を構成し、サーマルヘッド８１Ｂにより記録媒体Ｐ上に画像が印画される前に、複数の印画用領域Ｔ１，…のうちの使用済みの印画用領域Ｔ１に含まれる透明保護材（ＯＰ）が塗布されていた部分が、サーマルヘッド８１Ｂの直下に配置されるように、インクリボンＲ１を下流から上流へ送出して巻戻する。
【００８５】
第２駆動モータ８７Ｂは、本体部１０Ｂから入力される制御信号に従って、第１インクリボンローラ８５Ｂや第２インクリボンローラ８６Ｂを回転駆動させる。
具体的には、第２駆動モータ８７Ｂにより回転駆動された第１インクリボンローラ８５Ｂや第２インクリボンローラ８６Ｂは、インクリボンＲ１を、上流から下流へ送出する。
さらに、第２駆動モータ８７Ｂは、例えば、巻戻手段を構成する。すなわち、第２駆動モータ８７Ｂにより回転駆動された第１インクリボンローラ８５Ｂや第２インクリボンローラ８６Ｂは、サーマルヘッド８１Ｂにより記録媒体Ｐ上に画像が印画される前に、複数の印画用領域Ｔ１，…のうちの使用済みの印画用領域Ｔ１に含まれる透明保護材（ＯＰ）が塗布されていた部分が、サーマルヘッド８１の直下に配置されるように、インクリボンを巻戻する。
【００８６】
（本体部の構成）
本体部１０Ｂは、例えば、制御部１１と、Ｉ／Ｏコントロール１２と、Ｉ／Ｆ１３と、ＤＶＤ記憶部１４と、ＲＡＭ１５と、ＲＯＭ１６Ｂと、などを備えて構成される。そして、本体部１０Ｂは、例えば、Ｉ／Ｏコントロール１２を介して、ストロボユニット２０、コインメック６０、操作部７０等と接続しており、Ｉ／Ｆ１３を介して、昇華型プリンタ８０Ｂ等と接続している。
【００８７】
ＲＯＭ１６Ｂは、証明写真撮影装置１Ｂで実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６Ｂに記憶されている。
具体的には、ＲＯＭ１６Ｂは、例えば、図９に示すように、調整制御プログラム１６１Ｂと、作成制御プログラム１６２と、などを記憶している。
【００８８】
調整制御プログラム１６１Ｂは、例えば、サーマルヘッド８１Ｂにより記録媒体Ｐ上に画像が印画される前に、第２駆動モータ８７Ｂを制御して、複数の印画用領域Ｔ１，…のうちの使用済みの印画用領域Ｔ１に含まれる透明保護材（ＯＰ）が塗布されていた部分が、サーマルヘッド８１Ｂの直下に配置されるように、インクリボンＲ１を巻戻し、第１駆動モータ８４Ｂを実行して、記録媒体Ｐを、サーマルヘッド８１の直下に配置させた状態で、記録媒体Ｐの搬送経路Ｑ上にて往復移動させ、そして、通電された複数の発熱素子８１１が、当該巻戻されたインクリボンＲ１を介して、当該往復移動された記録媒体Ｐ上に押し当てられるように、サーマルヘッド８１を制御する機能を、制御部１１に実現させる。
具体的には、制御部１１は、例えば、記録媒体Ｐが所定速度で所定回数往復移動するように、第１駆動モータ８４Ｂを制御し、そして、当該往復移動の間に記録媒体Ｐがサーマルヘッド８１Ｂにより温められて所定の温度となるように、温度検出部８９により検出された温度に基づいて、複数の発熱素子８１１に通電する際の電圧を制御する等して、サーマルヘッド８１Ｂを制御する。
或いは、制御部１１は、例えば、複数の発熱素子８１１が所定の電圧で通電されるように、サーマルヘッド８１Ｂを制御し、そして、往復移動の間に記録媒体Ｐが当該制御されたサーマルヘッド８１Ｂにより温められて所定の温度となるように、温度検出部８９により検出された温度に基づいて、記録媒体Ｐを往復移動させる速度又は回数を制御する等して、第１駆動モータ８４Ｂを制御する。
制御部１１は、かかる調整制御プログラム１６１Ｂを実行することによって、巻戻手段、往復手段及びサーマルヘッド制御手段として機能する。
【００８９】
ここで、サーマルヘッド８１Ｂにより記録媒体Ｐ上に画像が印画される前に、記録媒体Ｐの温度を所定の温度に調整する調整手段は、例えば、サーマルヘッド８１Ｂと、温度検出部８９と、調整制御プログラム１６１Ｂを実行した制御部１１と、などから構成される。
また、熱転写記録装置は、例えば、昇華型プリンタ８０Ｂと、調整制御プログラム１６１Ｂを実行した制御部１１と、などから構成される。
【００９０】
以上説明した第３の実施の形態における証明写真撮影装置１Ｂによれば、インクリボンＲ１は、一の記録媒体Ｐ上に画像を印画させる際に使用される昇華性染料インク（Ｙ，Ｍ，Ｃ）及び透明保護材（ＯＰ）が塗布された印画用領域Ｔ１を複数有しており、調整制御プログラム１６１Ｂを実行した制御部１１によって、第２駆動モータ８７Ｂを制御して、複数の印画用領域Ｔ１，…のうちの使用済みの印画用領域Ｔ１に含まれる透明保護材（ＯＰ）が塗布されていた部分が、サーマルヘッド８１Ｂの直下に配置されるように、インクリボンＲ１を巻戻し、第１駆動モータ８４Ｂを制御して、記録媒体Ｐを、サーマルヘッド８１Ｂの直下に配置させた状態で、記録媒体Ｐの搬送経路Ｑ上にて往復移動させ、そして、通電された複数の発熱素子８１１が、当該巻戻されたインクリボンＲ１を介して、当該往復移動された記録媒体Ｐ上に押し当てられるように、サーマルヘッド８１Ｂを制御することができる。すなわち、既存の構成要素（サーマルヘッド８１Ｂ）を応用することができるため、簡易且つ低コストに、記録媒体Ｐの温度を適温に調整することができる。
また、記録媒体Ｐの温度を調整する際に、第２駆動モータ８７Ｂを制御して、インクリボンＲ１を巻き戻すことができる。したがって、既存のインクリボンＲ１を用いることができるため、より一層簡易且つ低コストに、記録媒体Ｐの温度を適温に調整することができる。
【００９１】
具体的には、調整制御プログラム１６１Ｂを実行した制御部１１によって、温度検出部８９により検出された温度に基づいて、複数の発熱素子８１１に通電する際の電圧を制御すること、温度検出部８９により検出された温度に基づいて、記録媒体Ｐを往復移動させる速度を制御すること、或いは、温度検出部８９により検出された温度に基づいて、記録媒体Ｐを往復移動させる回数を制御することができるため、確実に、記録媒体Ｐの温度を適温に調整することができる。
【００９２】
[第４の実施の形態]
次に、第４の実施の形態における証明写真撮影装置１Ｃについて説明する。
【００９３】
＜証明写真撮影装置の構成＞
まず、証明写真撮影装置１Ｃの構成について、図１２〜１４を参照して説明する。
なお、第４の実施の形態の証明写真撮影装置１Ｃは、記録媒体Ｐの温度を調整する際に基づく情報のみが第３の実施の形態の証明写真撮影装置１Ｂと異なる。具体的には、証明写真撮影装置１Ｂのおける本体部１０Ｂ及び昇華型プリンタ８０Ｂの構成の一部が異なる。したがって、異なる箇所のみについて説明し、その他の共通する部分は同一符号を付して説明する。
【００９４】
証明写真撮影装置１Ｃは、例えば、図１２に示すように、本体部１０Ｃと、ストロボユニット２０と、デジタルカメラ３０と、表示部４０と、入室センサ５０と、コインメック６０と、操作部７０と、昇華型プリンタ８０Ｃと、などを備えて構成される。
【００９５】
（昇華型プリンタの構成）
昇華型プリンタ８０Ｃは、例えば、本体部１０Ｃから入力される制御信号に従って、デジタルカメラ３０により撮影されて生成された画像データに基づく画像を記録媒体Ｐに印画して、証明写真を作成する。
具体的には、昇華型プリンタ８０Ｃは、例えば、図１３及び１４に示すように、複数の発熱素子８１１列を有するサーマルヘッド８１Ｂと、プラテンローラ８２Ｂと、搬送ローラ８３Ｂと、第１駆動モータ８４Ｂと、第１インクリボンローラ８５Ｂ及び第２インクリボンローラ８６Ｂと、第２駆動モータ８７Ｂと、経過時間検出部８９Ｃと、など備えて構成される。
【００９６】
経過時間検出部８９Ｃは、例えば、経過時間検出手段として、前回の印画からの経過時間を検出して、その検出信号を本体部１０Ｃに出力する。
【００９７】
（本体部の構成）
本体部１０Ｃは、例えば、制御部１１と、Ｉ／Ｏコントロール１２と、Ｉ／Ｆ１３と、ＤＶＤ記憶部１４と、ＲＡＭ１５と、ＲＯＭ１６Ｃと、などを備えて構成される。そして、本体部１０Ｃは、例えば、Ｉ／Ｏコントロール１２を介して、ストロボユニット２０、コインメック６０、操作部７０等と接続しており、Ｉ／Ｆ１３を介して、昇華型プリンタ８０Ｃ等と接続している。
【００９８】
ＲＯＭ１６Ｃは、証明写真撮影装置１Ｃで実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６Ｃに記憶されている。
具体的には、ＲＯＭ１６Ｃは、例えば、図１２に示すように、調整制御プログラム１６１Ｃと、作成制御プログラム１６２と、などを記憶している。
【００９９】
調整制御プログラム１６１Ｃは、例えば、サーマルヘッド８１Ｂにより記録媒体Ｐ上に画像が印画される前に、第２駆動モータ８７Ｂを制御して、複数の印画用領域Ｔ１，…のうちの使用済みの印画用領域Ｔ１に含まれる透明保護材（ＯＰ）が塗布されていた部分が、サーマルヘッド８１Ｂの直下に配置されるように、インクリボンＲ１を巻戻し、第１駆動モータ８４Ｂを実行して、記録媒体Ｐを、サーマルヘッド８１Ｂの直下に配置させた状態で、記録媒体Ｐの搬送経路Ｑ上にて往復移動させ、そして、通電された複数の発熱素子８１１が、当該巻戻されたインクリボンＲ１を介して、当該往復移動された記録媒体Ｐ上に押し当てられるように、サーマルヘッド８１Ｂを制御する機能を、制御部１１に実現させる。
具体的には、制御部１１は、例えば、記録媒体Ｐが所定速度で所定回数往復移動するように、第１駆動モータ８４Ｂを制御し、そして、当該往復移動の間に記録媒体Ｐがサーマルヘッド８１Ｂにより温められて所定の温度となるように、経過時間検出部８９Ｃにより検出された経過時間に基づいて、複数の発熱素子８１１に通電する際の電圧を制御する等して、サーマルヘッド８１Ｂを制御する。
或いは、制御部１１は、例えば、複数の発熱素子８１１が所定の電圧で通電されるように、サーマルヘッド８１Ｂを制御し、そして、往復移動の間に記録媒体Ｐが当該制御されたサーマルヘッド８１Ｂにより温められて所定の温度となるように、経過時間検出部８９Ｃにより検出された経過時間に基づいて、記録媒体Ｐを往復移動させる速度又は回数を制御する等して、第１駆動モータ８４Ｂを制御する。
制御部１１は、かかる調整制御プログラム１６１Ｃを実行することによって、巻戻手段、往復手段及びサーマルヘッド制御手段として機能する。
【０１００】
ここで、サーマルヘッド８１Ｂにより記録媒体Ｐ上に画像が印画される前に、記録媒体Ｐの温度を所定の温度に調整する調整手段は、例えば、サーマルヘッド８１Ｂと、経過時間検出部８９Ｃと、調整制御プログラム１６１Ｃを実行した制御部１１と、などから構成される。
また、熱転写記録装置は、例えば、昇華型プリンタ８０Ｃと、調整制御プログラム１６１Ｃを実行した制御部１１と、などから構成される。
【０１０１】
以上説明した第４の実施の形態における証明写真撮影装置１Ｃによれば、調整制御プログラム１６１Ｃを実行した制御部１１によって、経過時間検出部８９Ｃにより検出された経過時間に基づいて、複数の発熱素子８１１に通電する際の電圧を制御すること、経過時間検出部８９Ｃにより検出された経過時間に基づいて、記録媒体Ｐを往復移動させる速度を制御すること、或いは、経過時間検出部９８Ｃにより検出された経過時間に基づいて、記録媒体Ｐを往復移動させる回数を制御することができるため、確実に、記録媒体Ｐの温度を適温に調整することができる。
【０１０２】
[第５の実施の形態]
次に、第５の実施の形態における証明写真撮影装置１Ｄについて説明する。
【０１０３】
＜証明写真撮影装置の構成＞
まず、証明写真撮影装置１Ｄの構成について、図１５〜１８を参照して説明する。
なお、第５の実施の形態の証明写真撮影装置１Ｄは、記録媒体Ｐの温度を調整する際にサーマルヘッド８１Ｂの直下に配置されるインクリボン中の部分のみが第３の実施の形態の証明写真撮影装置１Ｂと異なる。具体的には、証明写真撮影装置１Ｂのおける本体部１０Ｂ、昇華型プリンタ８０Ｂ及びインクリボンＲ１の構成の一部が異なる。したがって、異なる箇所のみについて説明し、その他の共通する部分は同一符号を付して説明する。
【０１０４】
証明写真撮影装置１Ｄは、例えば、図１５に示すように、本体部１０Ｄと、ストロボユニット２０と、デジタルカメラ３０と、表示部４０と、入室センサ５０と、コインメック６０と、操作部７０と、昇華型プリンタ８０Ｄと、などを備えて構成される。
【０１０５】
（昇華型プリンタの構成）
昇華型プリンタ８０Ｄは、例えば、本体部１０Ｄから入力される制御信号に従って、デジタルカメラ３０により撮影されて生成された画像データに基づく画像を記録媒体Ｐに印画して、証明写真を作成する。
具体的には、昇華型プリンタ８０Ｄは、例えば、図１６及び１７に示すように、複数の発熱素子８１１列を有するサーマルヘッド８１Ｂと、プラテンローラ８２Ｂと、搬送ローラ８３Ｂと、第１駆動モータ８４Ｂと、サーマルヘッド８１Ｂとプラテンローラ８２Ｂ（記録媒体Ｐ）との間にインクリボンＲ２を張設してインクリボンＲ２を上流から下流へ送出する第１インクリボンローラ８５Ｄ及び第２インクリボンローラ８６Ｄと、第１インクリボンローラ８５Ｄや第２インクリボンローラ８６Ｄを回転駆動させる第２駆動モータ８７Ｄと、温度検出部８９と、など備えて構成される。
【０１０６】
インクリボンＲ２は、例えば、図１８に示すように、イエロー（Ｙ）、マゼンタ（Ｍ）、シアン（Ｃ）の三原色の昇華性染料インクがそれぞれ面状に塗布された部分と、透明保護材（ＯＰ）が面状に塗布された部分と、からなる印画用領域Ｔ１を複数有するとともに、印画用領域Ｔ１同士の間毎に昇華性染料インク（Ｙ，Ｍ，Ｃ）及び透明保護材（ＯＰ）が塗布されていない調整用領域Ｔ２を有している。
【０１０７】
第１インクリボンローラ８５Ｄは、例えば、サーマルヘッド８１Ｂよりも上流側に設けられており、第２駆動モータ８７Ｄにより回転駆動されることによって、上流から下流へインクリボンＲ２を送出する。
さらに、第１インクリボンローラ８５Ｄは、例えば、第２駆動モータ８７Ｄにより回転駆動されることによって、送出手段を構成し、サーマルヘッド８１Ｂにより記録媒体Ｐ上に画像が印画される前に、複数の調整用領域Ｔ２，…のうちの前回の印画の際に使用された印画用領域Ｔ１と今回の印画の際に使用される印画用領域Ｔ１との間にある調整用領域Ｔ２が、サーマルヘッド８１Ｂの直下に配置されるように、上流から下流へインクリボンＲ２を送出する。
【０１０８】
第２インクリボンローラ８６Ｄは、例えば、サーマルヘッド８１Ｂよりも下流側に設けられており、第２駆動モータ８７Ｄにより回転駆動されることによって、第１インクリボン８５Ｄにより送出されたインクリボンＲ１を巻取する。
さらに、第２インクリボンローラ８６Ｄは、例えば、第２駆動モータ８７Ｄにより回転駆動されることによって、送出手段を構成し、サーマルヘッド８１Ｂにより記録媒体Ｐ上に画像が印画される前に、複数の調整用領域Ｔ２，…のうちの前回の印画の際に使用された印画用領域Ｔ１と今回の印画の際に使用される印画用領域Ｔ１との間にある調整用領域Ｔ２が、サーマルヘッド８１Ｂの直下に配置されるように、第１インクリボン８５Ｄにより送出されたインクリボンＲ２を巻取する。
【０１０９】
第２駆動モータ８７Ｄは、本体部１０Ｄから入力される制御信号に従って、第１インクリボンローラ８５Ｄや第２インクリボンローラ８６Ｄを回転駆動させる。
具体的には、第２駆動モータ８７Ｄにより回転駆動された第１インクリボンローラ８５Ｄや第２インクリボンローラ８６Ｄは、インクリボンＲ２を、上流から下流へ送出する。
さらに、第２駆動モータ８７Ｄは、例えば、送出手段を構成する。すなわち、第２駆動モータ８７Ｄにより回転駆動された第１インクリボンローラ８５Ｄや第２インクリボンローラ８６Ｄは、サーマルヘッド８１Ｂにより記録媒体Ｐ上に画像が印画される前に、複数の調整用領域Ｔ２，…のうちの前回の印画の際に使用された印画用領域Ｔ１と今回の印画の際に使用される印画用領域Ｔ１との間にある調整用領域Ｔ２が、サーマルヘッド８１Ｂの直下に配置されるように、インクリボンＲ２を上流から下流へ送出する。
【０１１０】
（本体部の構成）
本体部１０Ｄは、例えば、制御部１１と、Ｉ／Ｏコントロール１２と、Ｉ／Ｆ１３と、ＤＶＤ記憶部１４と、ＲＡＭ１５と、ＲＯＭ１６Ｄと、などを備えて構成される。そして、本体部１０Ｄは、例えば、Ｉ／Ｏコントロール１２を介して、ストロボユニット２０、コインメック６０、操作部７０等と接続しており、Ｉ／Ｆ１３を介して、昇華型プリンタ８０Ｄ等と接続している。
【０１１１】
ＲＯＭ１６Ｄは、証明写真撮影装置１Ｄで実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６Ｄに記憶されている。
具体的には、ＲＯＭ１６Ｄは、例えば、図１５に示すように、調整制御プログラム１６１Ｄと、作成制御プログラム１６２と、などを記憶している。
【０１１２】
調整制御プログラム１６１Ｄは、例えば、サーマルヘッド８１Ｂにより記録媒体Ｐ上に画像が印画される前に、第２駆動モータ８７Ｄを制御して、複数の調整用領域Ｔ２，…のうちの前回の印画の際に使用された印画用領域Ｔ１と今回の印画の際に使用される印画用領域Ｔ１との間にある調整用領域Ｔ２が、サーマルヘッド８１Ｂの直下に配置されるように、インクリボンＲ２を送出し、第１駆動モータ８４Ｂを実行して、記録媒体Ｐを、サーマルヘッド８１Ｂの直下に配置させた状態で、記録媒体Ｐの搬送経路Ｑ上にて往復移動させ、そして、通電された複数の発熱素子８１１が、当該送出されたインクリボンＲ２を介して、当該往復移動された記録媒体Ｐ上に押し当てられるように、サーマルヘッド８１Ｂを制御する機能を、制御部１１に実現させる。
具体的には、制御部１１は、例えば、記録媒体Ｐが所定速度で所定回数往復移動するように、第１駆動モータ８４Ｂを制御し、そして、当該往復移動の間に記録媒体Ｐがサーマルヘッド８１Ｂにより温められて所定の温度となるように、温度検出部８９により検出された温度に基づいて、複数の発熱素子８１１に通電する際の電圧を制御する等して、サーマルヘッド８１Ｂを制御する。
或いは、制御部１１は、例えば、複数の発熱素子８１１が所定の電圧で通電されるように、サーマルヘッド８１Ｂを制御し、そして、往復移動の間に記録媒体Ｐが当該制御されたサーマルヘッド８１Ｂにより温められて所定の温度となるように、温度検出部８９により検出された温度に基づいて、記録媒体Ｐを往復移動させる速度又は回数を制御する等して、第１駆動モータ８４Ｂを制御する。
制御部１１は、かかる調整制御プログラム１６１Ｄを実行することによって、送出手段、往復手段及びサーマルヘッド制御手段として機能する。
【０１１３】
ここで、サーマルヘッド８１Ｂにより記録媒体Ｐ上に画像が印画される前に、記録媒体Ｐの温度を所定の温度に調整する調整手段は、例えば、サーマルヘッド８１Ｂと、温度検出部８９と、調整制御プログラム１６１Ｄを実行した制御部１１と、などから構成される。
また、熱転写記録装置は、例えば、昇華型プリンタ８０Ｄと、調整制御プログラム１６１Ｄを実行した制御部１１と、などから構成される。
【０１１４】
以上説明した第５の実施の形態における証明写真撮影装置１Ｄによれば、インクリボンＲ２は、一の記録媒体Ｐ上に画像を印画させる際に使用される昇華性染料インク（Ｙ，Ｍ，Ｃ）及び透明保護材（ＯＰ）が塗布された印画用領域Ｔ１を複数有するとともに、印画用領域Ｔ１同士の間毎に何も塗布されていない調整用領域Ｔ２を有しており、調整制御プログラム１６１Ｄを実行した制御部１１によって、第２駆動モータ８７Ｄを制御して、複数の調整用領域Ｔ２，…のうちの前回の印画の際に使用された印画用領域Ｔ１と今回の印画の際に使用される印画用領域Ｔ１との間にある調整用領域Ｔ２が、サーマルヘッド８１Ｂの直下に配置されるように、インクリボンＲ２を送出し、第１駆動モータ８４Ｂを制御して、記録媒体Ｐを、サーマルヘッド８１Ｂの直下に配置させた状態で、記録媒体Ｐの搬送経路Ｑ上にて往復移動させ、通電された複数の発熱素子８１１が、当該送出されたインクリボンＲ２を介して、当該往復移動された記録媒体Ｐ上に押し当てられるように、サーマルヘッド１Ｂを制御することができる。すなわち、既存の構成要素（サーマルヘッド８１Ｂ）を応用することができるため、簡易且つ低コストに、記録媒体Ｐの温度を適温に調整することができる。
また、インクリボンＲ２は、何も塗布されていない調整用領域Ｔ２を有している。したがって、記録媒体Ｐの温度を調整する際にインクリボンＲ２を巻戻する機構等を新たに備える必要がないため、より一層簡易且つ低コストに、記録媒体Ｐの温度を適温に調整することができる。
【０１１５】
具体的には、調整制御プログラム１６１Ｄを実行した制御部１１は、温度検出部８９により検出された温度に基づいて、複数の発熱素子８１１に通電する際の電圧を制御すること、温度検出部８９により検出された温度に基づいて、記録媒体Ｐを往復移動させる速度を制御すること、或いは、温度検出部８９により検出された温度に基づいて、記録媒体Ｐを往復移動させる回数を制御することができるため、確実に、記録媒体Ｐの温度を適温に調整することができる。
【０１１６】
[第６の実施の形態]
次に、第６の実施の形態における証明写真撮影装置１Ｅについて説明する。
【０１１７】
＜証明写真撮影装置の構成＞
まず、証明写真撮影装置１Ｅの構成について、図１９〜２１を参照して説明する。
なお、第６の実施の形態の証明写真撮影装置１Ｅは、記録媒体Ｐの温度を調整する際に基づく情報のみが第５の実施の形態の証明写真撮影装置１Ｄと異なる。具体的には、証明写真撮影装置１Ｄのおける本体部１０Ｄ及び昇華型プリンタ８０Ｄの構成の一部が異なる。したがって、異なる箇所のみについて説明し、その他の共通する部分は同一符号を付して説明する。
【０１１８】
証明写真撮影装置１Ｅは、例えば、図１９に示すように、本体部１０Ｅと、ストロボユニット２０と、デジタルカメラ３０と、表示部４０と、入室センサ５０と、コインメック６０と、操作部７０と、昇華型プリンタ８０Ｅと、などを備えて構成される。
【０１１９】
（昇華型プリンタの構成）
昇華型プリンタ８０Ｅは、例えば、本体部１０Ｅから入力される制御信号に従って、デジタルカメラ３０により撮影されて生成された画像データに基づく画像を記録媒体Ｐに印画して、証明写真を作成する。
具体的には、昇華型プリンタ８０Ｅは、例えば、図２０及び２１に示すように、複数の発熱素子８１１列を有するサーマルヘッド８１Ｂと、プラテンローラ８２Ｂと、搬送ローラ８３Ｂと、第１駆動モータ８４Ｂと、第１インクリボンローラ８５Ｄ及び第２インクリボンローラ８６Ｄと、第２駆動モータ８７Ｄと、経過時間検出部８９Ｅと、など備えて構成される。
【０１２０】
経過時間検出部８９Ｅは、例えば、経過時間検出手段として、前回の印画からの経過時間を検出して、その検出信号を本体部１０Ｅに出力する。
【０１２１】
（本体部の構成）
本体部１０Ｅは、例えば、制御部１１と、Ｉ／Ｏコントロール１２と、Ｉ／Ｆ１３と、ＤＶＤ記憶部１４と、ＲＡＭ１５と、ＲＯＭ１６Ｅと、などを備えて構成される。そして、本体部１０Ｅは、例えば、Ｉ／Ｏコントロール１２を介して、ストロボユニット２０、コインメック６０、操作部７０等と接続しており、Ｉ／Ｆ１３を介して、昇華型プリンタ８０Ｅ等と接続している。
【０１２２】
ＲＯＭ１６Ｅは、証明写真撮影装置１Ｅで実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６Ｅに記憶されている。
具体的には、ＲＯＭ１６Ｅは、例えば、図１９に示すように、調整制御プログラム１６１Ｅと、作成制御プログラム１６２と、などを記憶している。
【０１２３】
調整制御プログラム１６１Ｅは、例えば、サーマルヘッド８１Ｂにより記録媒体Ｐ上に画像が印画される前に、第２駆動モータ８７Ｄを制御して、複数の調整用領域Ｔ２，…のうちの前回の印画の際に使用された印画用領域Ｔ１と今回の印画の際に使用される印画用領域Ｔ１との間にある調整用領域Ｔ２が、サーマルヘッド８１Ｂの直下に配置されるように、インクリボンＲ２を送出し、第１駆動モータ８４Ｂを実行して、記録媒体Ｐを、サーマルヘッド８１Ｂの直下に配置させた状態で、記録媒体Ｐの搬送経路Ｑ上にて往復移動させ、そして、通電された複数の発熱素子８１１が、当該送出されたインクリボンＲ２を介して、当該往復移動された記録媒体Ｐ上に押し当てられるように、サーマルヘッド８１Ｂを制御する機能を、制御部１１に実現させる。
具体的には、制御部１１は、例えば、記録媒体Ｐが所定速度で所定回数往復移動するように、第１駆動モータ８４Ｂを制御し、そして、当該往復移動の間に記録媒体Ｐがサーマルヘッド８１Ｂにより温められて所定の温度となるように、経過時間検出部８９Ｅにより検出された経過時間に基づいて、複数の発熱素子８１１に通電する際の電圧を制御する等して、サーマルヘッド８１Ｂを制御する。
或いは、制御部１１は、例えば、複数の発熱素子８１１が所定の電圧で通電されるように、サーマルヘッド８１Ｂを制御し、そして、往復移動の間に記録媒体Ｐが当該制御されたサーマルヘッド８１Ｂにより温められて所定の温度となるように、経過時間検出部８９Ｅにより検出された経過時間に基づいて、記録媒体Ｐを往復移動させる速度又は回数を制御する等して、第１駆動モータ８４Ｂを制御する。
制御部１１は、かかる調整制御プログラム１６１Ｅを実行することによって、送出手段、往復手段及びサーマルヘッド制御手段として機能する。
【０１２４】
ここで、サーマルヘッド８１Ｂにより記録媒体Ｐ上に画像が印画される前に、記録媒体Ｐの温度を所定の温度に調整する調整手段は、例えば、サーマルヘッド８１Ｂと、経過時間検出部８９Ｅと、調整制御プログラム１６１Ｅを実行した制御部１１と、などから構成される。
また、熱転写記録装置は、例えば、昇華型プリンタ８０Ｅと、調整制御プログラム１６１Ｅを実行した制御部１１と、などから構成される。
【０１２５】
以上説明した第６の実施の形態における証明写真撮影装置１Ｅによれば、調整制御プログラム１６１Ｅを実行した制御部１１によって、経過時間検出部８９Ｅにより検出された経過時間に基づいて、複数の発熱素子８１１に通電する際の電圧を制御すること、経過時間検出部８９Ｅにより検出された経過時間に基づいて、記録媒体Ｐを往復移動させる速度を制御すること、或いは、経過時間検出部９８Ｅにより検出された経過時間に基づいて、記録媒体Ｐを往復移動させる回数を制御することができるため、確実に、記録媒体Ｐの温度を適温に調整することができる。
【０１２６】
なお、本発明は、上記した実施の形態のものに限るものではなく、その要旨を逸脱しない範囲で適宜変更可能である。
第１、第３及び第５の実施の形態において、温度検出部８９により、例えば、印画されるために記録媒体Ｐが待機している場所の温度を検出するようにしたが、温度検出部８９により温度が検出される所定箇所は、例えば、印画されるために待機している記録媒体Ｐの温度を予測することができる場所であれば、任意である。
【０１２７】
第３〜第６の実施の形態において、複数の発熱素子８１１に通電する際の電圧を制御するか、記録媒体Ｐを往復移動させる速度を制御するか、或いは、記録媒体Ｐを往復移動させる回数を制御することによって、記録媒体Ｐの温度を調整するようにしたが、すなわち、これら３つの制御のうちの何れか１つの制御のみを実行して記録媒体Ｐの温度を調整するようにしたが、記録媒体Ｐの温度を適温に調整することができるのであれば、例えば、これら３つの制御のうちの何れか２つの制御を実行するようにしてもよいし、これら３つの制御全てを実行するようにしてもよい。
【０１２８】
第５及び第６の実施の形態において、記録媒体Ｐの温度を調整する際に、複数の調整用領域Ｔ２，…のうちの前回の印画の際に使用された印画用領域Ｔ１と今回の印画の際に使用される印画用領域Ｔ１との間にある調整用領域Ｔ２が、サーマルヘッド８１Ｂの直下に配置されるように、インクリボンＲ２を上流から下流へ送出するようにしたが、少なくとも調整用領域Ｔ２がサーマルヘッド８１Ｂの直下に配置されればよいため、例えば、複数の調整用領域Ｔ２，…のうちの一の調整用領域Ｔ２が、サーマルヘッド８１Ｂの直下に配置されるように、インクリボンＲ２を送出又は巻戻するようにしてもよい。
【図面の簡単な説明】
【０１２９】
【図１】第１の実施の形態にかかる証明写真撮影装置を示す透視図である。
【図２】第１の実施の形態にかかる証明写真撮影装置の機能的構成を示すブロック図である。
【図３】図２の昇華型プリンタの概略構成図である。
【図４】図２の昇華型プリンタの機能的構成を示すブロック図である。
【図５】図２の昇華型プリンタに内蔵されたインクリボンを示す図である。
【図６】第２の実施の形態にかかる証明写真撮影装置の機能的構成を示すブロック図である。
【図７】図６の昇華型プリンタの概略構成図である。
【図８】図６の昇華型プリンタの機能的構成を示すブロック図である。
【図９】第３の実施の形態にかかる証明写真撮影装置の機能的構成を示すブロック図である。
【図１０】図９の昇華型プリンタの概略構成図である。
【図１１】図９の昇華型プリンタの機能的構成を示すブロック図である。
【図１２】第４の実施の形態にかかる証明写真撮影装置の機能的構成を示すブロック図である。
【図１３】図１２の昇華型プリンタの概略構成図である。
【図１４】図１２の昇華型プリンタの機能的構成を示すブロック図である。
【図１５】第５の実施の形態にかかる証明写真撮影装置の機能的構成を示すブロック図である。
【図１６】図１５の昇華型プリンタの概略構成図である。
【図１７】図１５の昇華型プリンタの機能的構成を示すブロック図である。
【図１８】図１５の昇華型プリンタに内蔵されたインクリボンを示す図である。
【図１９】第６の実施の形態にかかる証明写真撮影装置の機能的構成を示すブロック図である。
【図２０】図１９の昇華型プリンタの概略構成図である。
【図２１】図１９の昇華型プリンタの機能的構成を示すブロック図である。
【符号の説明】
【０１３０】
１，１Ａ，１Ｂ，１Ｃ，１Ｄ，１Ｅ  証明写真撮影装置
１１  制御部（温度制御手段、巻戻手段、送出手段、往復手段、サーマルヘッド制御手段、調整手段、熱転写記録装置）
８０，８０Ａ，８０Ｂ，８０Ｃ，８０Ｄ，８０Ｅ  昇華型プリンタ（熱転写記録装置）
８１  サーマルヘッド
８１Ｂ  サーマルヘッド（調整手段）
８２Ｂ  プラテンローラ（往復手段）
８３Ｂ  搬送ローラ（往復手段）
８４Ｂ  第１駆動モータ（往復手段）
８５Ｂ  第１インクリボンローラ（巻戻手段）
８５Ｄ  第１インクリボンローラ（送出手段）
８６Ｂ  第２インクリボンローラ（巻戻手段）
８６Ｄ  第２インクリボンローラ（送出手段）
８７Ｂ  第２駆動モータ（巻戻手段）
８７Ｄ  第２駆動モータ（送出手段）
８８  温調器（加熱冷却手段、調整手段、）
８９  温度検出部（温度検出手段、調整手段）
８９Ａ，８９Ｃ，８９Ｅ  経過時間検出部（経過時間検出手段、調整手段）
１６１，１６１Ａ  調整制御プログラム（温度制御手段、調整手段、熱転写記録装置）
１６１Ｂ，１６１Ｃ  調整制御プログラム（巻戻手段、往復手段、サーマルヘッド制御手段調整手段、調整手段、熱転写記録装置）
１６１Ｄ，１６１Ｅ  調整制御プログラム（送出手段、往復手段、サーマルヘッド制御手段、調整手段、熱転写記録装置）
８１１  発熱素子
Ｐ  記録媒体
Ｑ  搬送経路
Ｒ１，Ｒ２  インクリボン
Ｔ１  印画用領域
Ｔ２  調整用領域
Ｙ，Ｍ，Ｃ  昇華性染料インク（染料インク）
ＯＰ  透明保護材（保護材）
【図１】
2007331294.tif 000003
【図２】
2007331294.tif 000004
【図３】
2007331294.tif 000005
【図４】
2007331294.tif 000006
【図５】
2007331294.tif 000007
【図６】
2007331294.tif 000008
【図７】
2007331294.tif 000009
【図８】
2007331294.tif 000010
【図９】
2007331294.tif 000011
【図１０】
2007331294.tif 000012
【図１１】
2007331294.tif 000013
【図１２】
2007331294.tif 000014
【図１３】
2007331294.tif 000015
【図１４】
2007331294.tif 000016
【図１５】
2007331294.tif 000017
【図１６】
2007331294.tif 000018
【図１７】
2007331294.tif 000019
【図１８】
2007331294.tif 000020
【図１９】
2007331294.tif 000021
【図２０】
2007331294.tif 000022
【図２１】
2007331294.tif 000023